【手続補正書】
【提出日】令和3年7月19日(2021.7.19)
【手続補正１】
【補正対象書類名】特許請求の範囲
【補正対象項目名】全文
【補正方法】変更
【補正の内容】
【特許請求の範囲】
【請求項１】
ワイヤレスデバイスにおけるワイヤレス通信のための方法であって、
第1の持続時間の送信時間区間(TTI)に関連する第1のチャネル状態情報(CSI)報告構成を識別するステップと、
前記第1の持続時間よりも短い第2の持続時間のTTIに関連する第2のCSI報告構成を識別するステップと、
前記第1のCSI報告構成もしくは前記第2のCSI報告構成、またはその両方に対して、CSIを報告すべきかどうかを決定するステップと、
前記決定に従ってCSI報告を送信するステップと、
前記第1のCSI報告構成に関連する第1の複数のCSIプロセス、および前記第2のCSI報告構成に関連する第2の複数のCSIプロセスを識別するステップと、
前記CSI報告を求める要求を受信するステップであって、前記要求が前記第2のCSI報告構成に関連する、ステップと、
前記第2のCSI報告構成に対してサポートされるCSIプロセスの最大数を識別するステップと、
前記第2のCSI報告構成に対してサポートされるCSIプロセスの前記最大数に少なくとも部分的に基づいて、前記第2の複数のCSIプロセスの第1のサブセットに対する測定値を更新するステップと
を備える方法。
【請求項２】
前記第1のCSI報告構成に関連する第1の複数のCSIプロセス、および前記第2のCSI報告構成に関連する第2の複数のCSIプロセスを識別するステップと、
前記CSI報告を求める要求を受信するステップであって、前記要求が前記第1のCSI報告構成に関連する、ステップと、
前記第1のCSI報告構成に対してサポートされるCSIプロセスの最大数を識別するステップと、
前記第1のCSI報告構成に対してサポートされるCSIプロセスの前記最大数に少なくとも部分的に基づいて、前記第1の複数のCSIプロセスの第1のサブセットに対する測定値を更新するステップと
をさらに備える、請求項1に記載の方法。
【請求項３】
第1のCSIプロセスを前記第1のCSI報告構成に、また第2のCSIプロセスを前記第2のCSI報告構成に関連付けるステップ
をさらに備える、請求項1に記載の方法。
【請求項４】
前記第1のCSIプロセスに対する第1のCSI報告もしくは前記第2のCSIプロセスに対する第2のCSI報告、またはその両方を生成するステップをさらに備え、前記CSI報告が、前記第1のCSI報告もしくは前記第2のCSI報告、またはその両方を備える、
請求項3に記載の方法。
【請求項５】
前記第1のCSIプロセスが、前記第2のCSIプロセスとは独立して動作させられる、請求項3に記載の方法。
【請求項６】
前記第1のCSI報告構成に対する前記第1のCSIプロセスが、前記第2のCSI報告構成に対する前記第2のCSIプロセスとは独立してトリガされる、請求項5に記載の方法。
【請求項７】
前記第1のCSI報告構成に対する前記第1のCSIプロセスが、第1の周期性および第1のオフセットに関連し、前記第2のCSI報告構成に対する前記第2のCSIプロセスが、第2の周期性および第2のオフセットに関連する、請求項5に記載の方法。
【請求項８】
ワイヤレス通信のための装置であって
第1の持続時間の送信時間区間(TTI)に関連する第1のチャネル状態情報(CSI)報告構成を識別するための手段と、
前記第1の持続時間よりも短い第2の持続時間のTTIに関連する第2のCSI報告構成を識別するための手段と、
前記第1のCSI報告構成もしくは前記第2のCSI報告構成、またはその両方に対して、CSIを報告すべきかどうかを決定するための手段と、
前記決定に従ってCSI報告を送信するための手段と、
前記第1のCSI報告構成に関連する第1の複数のCSIプロセス、および前記第2のCSI報告構成に関連する第2の複数のCSIプロセスを識別するための手段と、
前記CSI報告を求める要求を受信するための手段であって、前記要求が前記第2のCSI報告構成に関連する、手段と、
前記第2のCSI報告構成に対してサポートされるCSIプロセスの最大数を識別するための手段と、
前記第2のCSI報告構成に対してサポートされるCSIプロセスの前記最大数に少なくとも部分的に基づいて、前記第2の複数のCSIプロセスの第1のサブセットに対する測定値を更新するための手段と
を備える装置。
【請求項９】
前記第1のCSI報告構成に関連する第1の複数のCSIプロセス、および前記第2のCSI報告構成に関連する第2の複数のCSIプロセスを識別するための手段と、
前記CSI報告を求める要求を受信するための手段であって、前記要求が前記第1のCSI報告構成に関連する、手段と、
前記第1のCSI報告構成に対してサポートされるCSIプロセスの最大数を識別するための手段と、
前記第1のCSI報告構成に対してサポートされるCSIプロセスの前記最大数に少なくとも部分的に基づいて、前記第1の複数のCSIプロセスの第1のサブセットに対する測定値を更新するための手段と
をさらに備える、請求項8に記載の装置。
【請求項１０】
第1のCSIプロセスを前記第1のCSI報告構成に、また第2のCSIプロセスを前記第2のCSI報告構成に関連付けるための手段
をさらに備える、請求項8に記載の装置。
【請求項１１】
前記第1のCSIプロセスに対する第1のCSI報告もしくは前記第2のCSIプロセスに対する第2のCSI報告、またはその両方を生成するための手段をさらに備え、前記CSI報告が、前記第1のCSI報告もしくは前記第2のCSI報告、またはその両方を備える、請求項8に記載の装置。
【請求項１２】
前記第1のCSIプロセスが、前記第2のCSIプロセスとは独立して動作させられる、請求項10に記載の装置。
【請求項１３】
前記第1のCSI報告構成に対する前記第1のCSIプロセスが、前記第2のCSI報告構成に対する前記第2のCSIプロセスとは独立してトリガされる、請求項12に記載の装置。
【請求項１４】
前記第1のCSI報告構成に対する前記第1のCSIプロセスが、第1の周期性および第1のオフセットに関連し、前記第2のCSI報告構成に対する前記第2のCSIプロセスが、第2の周期性および第2のオフセットに関連する、請求項12に記載の装置。
【請求項１５】
ワイヤレス通信のためのコードを記憶するコンピュータ可読記録媒体であって、前記コードが命令を備え、前記命令が、
第1の持続時間の送信時間区間(TTI)に関連する第1のチャネル状態情報(CSI)報告構成を識別することと、
前記第1の持続時間よりも短い第2の持続時間のTTIに関連する第2のCSI報告構成を識別することと、
前記第1のCSI報告構成もしくは前記第2のCSI報告構成、またはその両方に対して、CSIを報告すべきかどうかを決定することと、
前記決定に従ってCSI報告を送信することと、
前記第1のCSI報告構成に関連する第1の複数のCSIプロセス、および前記第2のCSI報告構成に関連する第2の複数のCSIプロセスを識別することと、
前記CSI報告を求める要求を受信することであって、前記要求が前記第2のCSI報告構成に関連する、受信することと、
前記第2のCSI報告構成に対してサポートされるCSIプロセスの最大数を識別することと、
前記第2のCSI報告構成に対してサポートされるCSIプロセスの前記最大数に少なくとも部分的に基づいて、前記第2の複数のCSIプロセスの第1のサブセットに対する測定値を更新することと
を行うように、プロセッサによって実行可能である、
コンピュータ可読記録媒体。